(57)【要約】【課題】  制御基板の発熱など制御基板の変形に起因して光電変換部材の設置位置がずれするのを防止すること。【解決手段】画像の読取光を光電変換するＣＣＤラインセンサ２０２と、該ＣＣＤラインセンサ２０２への入出力信号を制御する読取ボードユニット２１０とを備えた画像読取ユニットにおいて、前記ＣＣＤラインセンサ２０２が機械的に位置決されて固定されるＣＣＤ固定ブラケット２２０さらに備えると共に、前記ＣＣＤラインセンサ２０２は、前記読取ボードユニット２１０と電気的に導通する配線ピン２０３を備えて構成した。【選択図】図７
2007181165.tif 000002
【特許請求の範囲】
【請求項１】
画像の読取光を光電変換する光電変換部材と、該光電変換部材への入出力信号を制御する制御回路を実装した制御基板とを備えた画像読取ユニットにおいて、
前記光電変換部材が機械的に位置決されて固定されるブラケット部材をさらに備えると共に、
前記光電変換部材は、前記制御基板と電気的に導通する導通部を備えていることを特徴とする画像読取ユニット。
【請求項２】
前記ブラケット部材は、前記制御基板よりも熱膨張係数が小さい材料で形成されたことを特徴とする請求項１の画像読取ユニット。
【請求項３】
前記制御基板は、前記ブラケット部材に固定されて位置決めされることを特徴とする請求項１又は２の画像読取ユニット。
【請求項４】
前記ブラケット部材は、前記光電変換部材と前記制御基板に挟まれて配置されることを特徴とする請求項１ないし３のいずれかの画像読取ユニット。
【請求項５】
前記光電変換部材は、前記ブラケット部材との間で複数の位置決め個所を基準として位置決めされると共に、
前記導通部は、前記複数の位置決め個所の間に配置されることを特徴とする請求項１ないし４のいずれかの画像読取ユニット。
【請求項６】
前記光電変換部材と、前記制御基板とは導通部において電気的な接続がなされ、前記光電変換部材と前記ブラケット部材とは機械的な接続がされていることを特徴とする請求項１ないし５のいずれかの画像読取ユニット。
【請求項７】
電気的な接点である前記導通部の弾性係数は、前記ブラケットの弾性係数よりも小さいことを特徴とする請求項６記載の画像読取ユニット。
【請求項８】
前記光電変換部材は、前記ブラケットに接着固定されていることを特徴とする請求項１ないし７のいずれかの画像読取ユニット。
【請求項９】
前記接着剤は、軟化点が摂氏８０度以上であることを特徴とする請求項８の画像読取ユニット。
【請求項１０】
前記光電変換部材は増幅素子部を有すると共に、
前記光電変換部材は、前記増幅素子部を外れた位置で、前記ブラケットに接着されていることを特徴とする請求項８又は９の画像読取ユニット。
【請求項１１】
前記光電変換部材は、複数列の光電変換素子列を備えることを特徴とする請求項１ないし１０のいずれかの画像読取ユニット。
【請求項１２】
前記光電変換部材は、前記ブラケット部材に対して絶縁状態で位置決めされることを特徴とする請求項１ないし１１のいずれかの画像読取ユニット。
【請求項１３】
原稿を照明する発光部と、該原稿からの反射光を導く光学系とをさらに備え、
前記光電変換部材は、前記光学系を通過した光を光電変換する請求項１ないし１２のいずれかの画像読取ユニットを備えた画像読取装置。
【請求項１４】
請求項１３の画像読取装置を備えたことを特徴とする画像形成装置。
【発明の詳細な説明】
【技術分野】
【０００１】
本発明は、画像読取ユニット、画像読取装置、画像形成装置に係り、特に画像の読取光を光電変換する光電変換部材と、該光電変換部材への入出力信号を制御する制御回路を実装した制御基板とを備えた画像読取ユニット、画像読取装置、画像形成装置に関する。
【背景技術】
【０００２】
画像読取装置や画像形成装置に備えられる画像読取ユニットには、原稿の像をレンズでＣＣＤラインセンサ上に結像する。このレンズとＣＣＤラインセンサの位置調整については、特許文献１に記載されている。
【０００３】
即ち、このような画像読取装置においてはＣＣＤラインセンサに対して、原稿が正しく結像するようレンズの位置調整がなされる。ここで、画像の読取光を光電変換するＣＣＤラインセンサは、このＣＣＤラインセンサの入出力信号を制御する回路を実装した制御基板を基準として位置決めを行うようにしてきた。
【特許文献１】特開平０３−３５５４号公報
【発明の開示】
【発明が解決しようとする課題】
【０００４】
ところで、近年原稿の像をＲＧＢ３色のカラー画像情報として得るため、ＣＣＤラインセンサも３列のセンサアレイを備えるものとしている。このような３列のセンサアレイを形成したＣＣＤラインセンサのセンサも微細化されてきている。
【０００５】
また、制御基板に実装される制御装置も高性能化が図られ発熱量が増加しつつある。このため、制御装置の発熱により、制御基板に熱変形に伴うそりが生じ、これにより、ＣＣＤラインセンサの位置もずれるおそれが出てきた。
【０００６】
そこで、本発明は、制御基板の発熱など制御基板の変形に起因して光電変換部材の設置位置がずれるのを防止することを目的とする。
【課題を解決するための手段】
【０００７】
請求項１の発明は、画像の読取光を光電変換する光電変換部材と、該光電変換部材への入出力信号を制御する制御回路を実装した制御基板とを備えた画像読取ユニットにおいて、前記光電変換部材が機械的に位置決されて固定されるブラケット部材をさらに備えると共に、前記光電変換部材は、前記制御基板と電気的に導通する導通部を備えていることを特徴とする画像読取ユニットである。
【０００８】
請求項２の発明は、請求項１の画像読取ユニットにおいて、前記ブラケット部材は、前記制御基板よりも熱膨張係数が小さい材料で形成されたことを特徴とする。
【０００９】
請求項３の発明は、請求項１又は２の画像読取ユニットにおいて、前記制御基板は、前記ブラケット部材に固定されて位置決めされることを特徴とする。
【００１０】
請求項４の発明は、請求項１ないし３のいずれかの画像読取ユニットにおいて、前記ブラケット部材は、前記光電変換部材と前記制御基板に挟まれて配置されることを特徴とする。
【００１１】
請求項５の発明は、請求項１ないし４のいずれかの画像読取ユニットにおいて、前記光電変換部材は、前記ブラケット部材との間で複数の位置決め個所を基準として位置決めされると共に、前記導通部は、前記複数の位置決め個所の間に配置されることを特徴とする。
【００１２】
請求項６の発明は、請求項１ないし５のいずれかの画像読取ユニットにおいて、前記光電変換部材と、前記制御基板とは導通部において電気的な接続がなされ、前記光電変換部材と前記ブラケット部材とは機械的な接続がされていることを特徴とする。
【００１３】
請求項７の発明は、請求項６記載の画像読取ユニットにおいて、電気的な接点である前記導通部の弾性係数は、前記ブラケットの弾性係数よりも小さいことを特徴とする。
【００１４】
請求項８の発明は、請求項１ないし７のいずれかの画像読取ユニットにおいて、前記光電変換部材は、前記ブラケットに接着固定されていることを特徴とする。
【００１５】
請求項９の発明は、請求項８の画像読取ユニットにおいて、前記接着剤は、軟化点が摂氏８０度以上であることを特徴とする。
【００１６】
請求項１０の発明は、請求項８又は９の画像読取ユニットにおいて、前記光電変換部材は増幅素子部を有すると共に、前記光電変換部材は、前記増幅素子部を外れた位置で、前記ブラケットに接着されていることを特徴とする。
【００１７】
請求項１１の発明は、請求項１ないし１０のいずれかの画像読取ユニットにおいて、前記光電変換部材は、複数列の光電変換素子列を備えることを特徴とする。
【００１８】
請求項１２の発明は、請求項１ないし１１のいずれかの画像読取ユニットにおいて、前記光電変換部材は、前記ブラケット部材に対して絶縁状態で位置決めされることを特徴とする。
【００１９】
請求項１３の発明は、原稿を照明する発光部と、該原稿からの反射光を導く光学系とをさらに備え、前記光電変換部材は、前記光学系を通過した光を光電変換する請求項１ないし１２のいずれかの画像読取ユニットを備えたことを特徴とする画像読取装置である。
【００２０】
請求項１４の発明は、請求項１３の画像読取装置を備えたことを特徴とする画像形成装置である。
【発明の効果】
【００２１】
本発明に係る画像読取ユニット、画像読取装置、画像形成装置によれば、制御基板に熱変形に伴うそりが生じても、光電変換部材の位置がずれることなく、微細なセンサ幅の光電変換部材に原稿像を正しく結像させることができるという効果がある。
【発明を実施するための最良の形態】
【００２２】
以下本発明を実施するための最良の形態としての実施例を図面に基づいて説明する。
【実施例】
【００２３】
図１は本発明の実施例に係る画像形成装置の概要を示す図、図２は実施例に係る画像読取装置を示す斜視図である。本例において画像形成装置１００は画像形成部１１０、給紙部１２０、本発明に係る画像読取装置からなる画像読取部１３０、原稿給紙部１４０を備えている。原稿給紙部１４０において、自動もしくは手動によって原稿を画像読取部１３０の直上に送り込み、画像読取部１３０は、後述する第１キャリッジ５及び第２キャリッジ６を所定の速度で副走査し、画像読取ユニット２００内のレンズ２０１によって原稿像をセンサであるＣＣＤラインセンサ２０２に取り込む。
【００２４】
画像形成部１１０は、ＣＣＤラインセンサ２３で読み取った画像の色別分解された情報を基に、複数の感光体に色分けして画像形成し、給紙部１２０から送られてくる転写用紙に画像を重ね転写してフルカラーのハードコピーを作成する。尚、同図では画像形成装置を例に説明したが、例えば、原稿給紙部１４０と、画像読取部１３０を基本構成としてファクシミリ装置を形成することができる。
【００２５】
本例では、画像読取部１３０は、装置の筐体である本体フレーム１、駆動軸２、駆動ワイヤ３、ワイヤ駆動プーリ４、第１キャリッジ５、第２キャリッジ６、画像読取ユニット２００を備えている。ここで、本例では画像読取ユニット２００はステー２１上に配置される。
【００２６】
本例では、画像読取部１３０は、本体フレーム１の中に、図示していない第１レールと図示の第２レール８を有し、第１レールには第１キャリッジ５が、第２レール８には第２キャリッジ６がそれぞれ摺動可能に構成されている。図示しないモータに連結された駆動軸２にはワイヤ駆動プーリ４が取り付けられており、駆動ワイヤが巻装されている。駆動ワイヤは第１キャリッジ用と第２キャリッジ用の２本が用いられるが同図では第２キャリッジ用の駆動ワイヤ３の１本を代表して示している。駆動ワイヤは第２キャリッジに取り付けられたキャリッジプーリや本体フレームの端近くに設けられたアイドラプーリを経由する構成になっている。本図ではそれらのプーリの図示を省略した。
【００２７】
第１キャリッジ５には光源としての管状ランプ５ａが配置されており、ワイヤ駆動プーリと第２キャリッジ６との間に配置されている。第１キャリッジ５が駆動ワイヤに引かれて所定の速度ｖで移動すると、管状ランプ５ａ直上の図示しない画像読取領域を構成するコンタクトガラスの平面上におかれた原稿を副走査する。原稿からの反射光束は図示しない第１ミラーによって、所定の方向、即ち、第２キャリッジ６に向けて反射される。反射光束は第２キャリッジ６の第２ミラーと図示しない第３ミラーによって折り返し、ステー２１に配置された画像読取ユニット２００に入射させる。画像読取ユニット２００に含まれる結像レンズによって反射光束は焦点面におかれた図示しない画像読取センサ上に集光結像される。これにより、読取センサは管状ランプ５ａに沿った原稿上の線状部分を主走査する。
【００２８】
第２キャリッジ６は、上記の２枚のミラーによる光束の折り返しに伴う光路の重複分を相殺するため、第１キャリッジ５の半分の速度、即ちｖ／２の速度で第１キャリッジ５と同方向に移動する。この移動速度の関係により、キャリッジの移動があっても、原稿面から画像読取ユニットまでの光束の光路長が変化しないようになっている。
【００２９】
画像読取ユニット２００は、第１キャリッジ５がその上を走行できるよう配置されているが、原稿からの反射光束を受ける関係で第２キャリッジ６の走行領域よりは外側に配置されている。
【００３０】
図３は第２キャリッジ用のワイヤとプーリの関係を説明するための模式図である。同図（ａ）は側面図、同図（ｂ）はワイヤの連結状態を上から見た状態で示す図である。同図において符号９は張力スプリング、１０はキャリッジプーリ、１１、１２はアイドラプーリ、３ａ〜３ｆは固定部とプーリ間、あるいはプーリ相互間に展張されている駆動ワイヤ３の各部分をそれぞれ示す。同図（ａ）は装置本体の奥側に位置する駆動ワイヤを示している。同図（ｂ）は図２に示す装置本体の手前側に位置する駆動ワイヤを示している。駆動ワイヤ３は、ワイヤ駆動プーリ４に巻き付けられて左方向及び右方向に延びる２つの系統がある。左方向に延びる駆動ワイヤの部分３ａは、軸がフレーム１に固定されたアイドラプーリ１１によって折り返されて部分３ｂとなり、外側キャリッジプーリ１０ｂに至り、再びここで折り返されて部分３ｃとなってフレーム１に端部を固定される。
【００３１】
右方向に延びる駆動ワイヤ３の部分３ｄは、軸がフレーム１に固定されたアイドラプーリ１２によって折り返されて部分３ｅとなって内側キャリッジプーリ１０ａに至り、再びここで折り返されて部分３ｆとなって張力付与用の張力スプリング９を介して装置本体に固定される。ワイヤ駆動プーリ４の回転によって、キャリッジプーリ１０が第２キャリッジ６と共に第２レール８に沿って左右に移動するので、キャリッジプーリ１０に直接関与するワイヤ部分３ｂとワイヤ部分３ｃは第２レールに対して平行になるよう設定されている。また、ワイヤ部分３ｅとワイヤ部分３ｆも第２レールに対して平行になるよう設定されている。これに対して、ワイヤ駆動プーリ４と軸固定のアイドラプーリ１１あるいは１２の間は、プーリの位置の移動がないので、部分３ａ、部分３ｄは第２レールに対する平行性を要求されない。内側キャリッジプーリ１０ａと外側キャリッジプーリ１０ｂは同心で一体に形成された２重溝プーリである。
【００３２】
本例では、２個のアイドラプーリ１１、１２の軸が傾斜して取り付けられている他に、キャリッジプーリ１０の軸も傾斜して取り付けられている。ただし、アイドラプーリとキャリッジプーリの傾斜方向は互いに逆方向になっている。即ち、ワイヤ駆動プーリ４の駆動軸２が水平に設定されているとして、アイドラプーリ１１、１２はその軸が本体内側の方が低くなるよう傾斜設定されているのに対し、キャリッジプーリ１０の軸は本体外側の方が低くなるように傾斜設定されている。ここでは便宜上、アイドラプーリの上記傾斜方向を内側傾斜、キャリッジプーリの上記傾斜方向を外側傾斜と呼ぶ。
【００３３】
図４は装置奥側の各プーリの位置関係を駆動ワイヤ展張方向から見た図である。同図において符号１３は駆動モータ、１４は駆動ベルトプーリ、１５は駆動ベルト、Ａ、Ｂはプーリ軸が水平より下がる側を示す矢印をそれぞれ示す。駆動ベルトプーリ１４は水平に設定された駆動モータ１３の出力軸１３ａに固定されている。駆動ベルト１５は駆動ベルトプーリ１４と従動ベルトプーリ１６との間に掛け渡されている。従動ベルトプーリ１６はワイヤ駆動プーリ４とともに駆動軸２に同軸固定されている。駆動モータ１３の任意方向の回転に伴い、ワイヤ駆動プーリ４が対応する方向に回転され、駆動ワイヤ３が同図において紙面と直交する方向に移動する。
【００３４】
同図において右方向が装置の中心側を表している。ワイヤ駆動プーリ４の駆動軸２は水平設定であるが、アイドラプーリ１１は矢印Ａで示すように、装置内側に向かって低くなるように配置されている。これに対し、キャリッジプーリ１０は矢印Ｂで示すように、装置外側に向かって低くなるように配置されている。そして、それぞれのプーリの中心位置は、駆動軸２の方向に沿って、装置外側から内側に向かってワイヤ駆動プーリ４、アイドラプーリ１１、キャリッジプーリ１０の順に配置されている。
【００３５】
駆動ワイヤ３はワイヤ駆動プーリ４からアイドラプーリ１１に掛け渡されるに当たって、駆動ワイヤ３がワイヤ駆動プーリ４のほぼ接線上にあり、その延長上にアイドラプーリの巻き付き開始点が存在するように配置されている。実際には、ワイヤ駆動プーリ４に対する駆動ワイヤ３の巻き付き開始位置（ワイヤを接線と見なしたときの接点に相当する）は軸方向に若干移動するので、上記条件は平均的な位置におけるものとする。
【００３６】
駆動ワイヤがアイドラプーリ１１とキャリッジプーリ１０の間に掛け渡される場合は、駆動ワイヤ３が両プーリの接線上に位置するように配置されている。言い換えれば、駆動ワイヤ３は、キャリッジプーリ１０とアイドラプーリ１１の共通外接線に一致している。したがって、両プーリに対する巻き付き開始位置は同図において同一点に重なっている。尚、ワイヤ駆動プーリ４、キャリッジプーリ１０の他の部分の駆動ワイヤ３は省略してある。上記の関係はアイドラプーリ１２に関しても全く同じことが言える。
【００３７】
次に本発明の実施例に係る画像読取ユニット２００について説明する。図５は本発明の実施例に係る画像読取ユニットを示す斜視図である。本例では画像読取ユニット２００は、センサ保持部材としての読取ボードユニット２１０、ＣＣＤ固定ブラケット２２０、支持ブラケット２３０、レンズブロック固定ブラケット２４０にレンズ保持部材としてのレンズブロック２５０を取り付けて構成している。
【００３８】
以下、画像読取ユニット２００の構成について詳細に説明する、図６は実施例に係る画像読取ユニットのＣＣＤ固定ブラケット２２０とＣＣＤラインセンサ２０２と読取ボードユニットとの取り付け状態を示す斜視図、図７は実施例に係る画像読取ユニットの支持ブラケットを示す斜視図、図８は実施例に係る画像読取ユニットのＣＣＤ固定ブラケットと支持ブラケットの取り付け状態を示す斜視図、図９は実施例に係る画像読取ユニットの支持ブラケットとレンズブロック固定ブラケットの固定状態を示す斜視図、図１０は実施例に係る画像読取ユニットのレンズブロック固定ブラケットとレンズブロックの固定状態を示す斜視図である。図１０では、ＣＣＤ固定ブラケット２２０及び読取ボードユニット２１０は、ＣＣＤ取付治具６００の基板６０３の大きさに揃えて表示している。
【００３９】
本例において画像読取ユニット２００は光軸上に配置したレンズ２０１を搭載したレンズブロック２５０と、Ｒ、Ｇ、Ｂ各色読み取り用の３列の受光素子列を延設したＣＣＤラインセンサ２０２を搭載した読取ボードユニット（ＳＢＵ）２１０とを備えてなる。ここで、図５に示すように、レンズ２０１の光軸が配置される方向をＺ方向，このＺ軸に垂直な方向であってＣＣＤラインセンサ２０２の受光素子が配列される方向をＸ方向、前記Ｚ軸方向及びＸ軸方向に垂直な方向をＹ方向とし、Ｘ軸周りの回転方向をα方向、Ｙ軸周りの回転方向をβ方向、Ｚ軸周りの回転方向をγ方向として説明する。
【００４０】
本例の画像読取ユニット２００は、ＣＣＤラインセンサ２０２を搭載する読取ボードユニット２１０及びレンズ２０１を搭載したレンズブロック２５０を備えてなる。本例では、レンズ２０１は前記Ｙ，Ｚ方向及び，α方向、β方向、γ方向にそれぞれ調整を行って、レンズ２０１による原稿像が正しくＣＣＤラインセンサ２０２の受光素子に結像するように調整し、最終的にはレンズブロック２５０を読取ボードユニット２１０に固定する。
【００４１】
本例では、レンズブロック２５０の読取ボードユニット２１０への固定は３つのブラケットを使用して行う。即ちレンズブロック２５０は、読取ボードユニット２１０に、ＣＣＤ固定ブラケット２２０、支持ブラケット２３０、レンズブロック固定ブラケット２４０を介して位置調整可能に取り付けられ、前記Ｘ方向、Ｙ方向、Ｚ方向、α方向、β方向、γ方向に位置調整された後ネジで固定される。
【００４２】
図６に読取ボードユニット２１０、ＣＣＤラインセンサ２０２及びＣＣＤ固定ブラケット２２０の固定状態を示す。本例ではＣＣＤラインセンサ２０２はその底面をＣＣＤ固定ブラケット２２０に接着固定され、配線ピン２０３が読取ボードユニット２１０に半田付けされ接続されている。
【００４３】
ＣＣＤ固定ブラケット２２０は、図７に示すように、金属板をプレス加工して、Ｘ−Ｚ平面に沿ったＣＣＤ取付面２２１と、このＣＣＤ取付面２２１からＸ−Ｙ平面に沿って折り曲げ形成されたブラケット固定面２２２とで断面略Ｌ字状に形成されている。ＣＣＤ取付面２２１には、２つの長穴部２２３が開設され、それらの間にＣＣＤ固着部２２４を形成している。また、ブラケット固定面２２２には、読取ボードユニット２１０へのネジ穴２２８、位置決穴２２９が開設されている他、支持ブラケット２３０の接触面部２２６が形成され、この接触面部２２６の中央には支持ブラケット２３０を固定するネジ貫通穴２２７が開設されている。
【００４４】
本例では、ＣＣＤ固定ブラケット２２０は読取ボードユニット２１０を介してネジ固定される。ＣＣＤラインセンサ２０２はその配線ピン２０３をＣＣＤ固定ブラケット２２０とは接触しないよう長穴部２２３を貫通して読取ボードユニット２１０に半田で電気的に接続される。
【００４５】
次に、ＣＣＤラインセンサ２０２と読取ボードユニット２１０、ＣＣＤ固定ブラケット２２０の取り付けについて説明する。図８は実施例に係る画像読取ユニットのＣＣＤラインセンサ、読取ボードユニット及びＣＣＤ固定ブラケットの固定状態を示す断面図、図９は実施例に係る画像読取ユニットのＣＣＤラインセンサ、読取ボードユニット及びＣＣＤ固定ブラケットの固定状態を示す斜視図、図１０は実施例に係る画像読取ユニットのＣＣＤラインセンサ、読取ボードユニット及びＣＣＤ固定ブラケットの取付時の状態を示す斜視図である。
【００４６】
本例ではＣＣＤラインセンサ２０２は読取ボードユニット２１０に電気的に接続されている一方ＣＣＤラインセンサ２０２はＣＣＤ固定ブラケット２２０には電気的に絶縁されると共に機械的に位置決めされて固定されている。即ちＣＣＤラインセンサ２０２の配線ピン２０３は、図８に示すように、読取ボードユニット２１０に貫通され半田４５４で読取ボードユニット２１０の必要な電極に電気的に接続されている。
【００４７】
また、ＣＣＤラインセンサ２０２は、ＣＣＤ固定ブラケット２２０のＣＣＤ固着部２２４に接着固定されており、配線ピン２０３はＣＣＤ固定ブラケット２２０の長穴部２２３を通りＣＣＤ固定ブラケット２２０には接触していない。これにより、読取ボードユニット２１０はＣＣＤ固着部２２４において、ＣＣＤラインセンサ２０２と読取ボードユニット２１０とで挟まれることとなる。尚、本発明では、他の形態としてＣＣＤラインセンサが、読取ボードユニットとＣＣＤ固定ブラケットに挟まれるように配置したり、読取ボードユニットを、ＣＣＤ固定ブラケットとレンズで挟まれるように配置したりするようにすることができる。
【００４８】
本例では図８に示すように、ＣＣＤ固定ブラケット２２０のＣＣＤ固着部２２４と読取ボードユニット２１０との間は断熱層接着層４２０が配置されている。この断熱層接着層４２０はＰＥＴフィルム４５２と両面に形成される接着材４５１，４５３で構成される。これにより、読取ボードユニット２１０の熱がＣＣＤ固定ブラケット２２０に直接伝わることが防止される。また、この断熱層４５０により前記読取ボードユニット２１０は、前記ＣＣＤ固定ブラケット２２０に接着固定されて位置決めされる。
【００４９】
また、本例では、前記ＣＣＤ固定ブラケット２２０は、前記読取ボードユニット２１０よりも熱膨張係数が小さい材料で形成されている。このため、読取ボードユニット２１０が発熱に起因してそったとしてもその影響がＣＣＤラインセンサ２０２に影響を及ぼしにくいものとなっている。ＣＣＤ固定ブラケット２２０の材料としては、鋼板が好ましい。尚、他の形態として、ＣＣＤ固定ブラケット２２０を、読取ボードユニット２１０の発熱の影響が小さい位置に配置するものとすれば、ＣＣＤ固定ブラケット２２０の熱膨張係数は読取ボードユニット２１０より小さい材料で形成されなくてもよい。
【００５０】
図９にＣＣＤラインセンサ２０２（５００）がＣＣＤ固定ブラケット２２０に取り付けられた状態を示す。本例では、ＣＣＤラインセンサ５００には、３本のラインセンサ５１１，５１２，５１３と、ＣＣＤラインセンサ５００に作りつけられた増幅素子部であるアンプ部５２０が表示されている。
【００５１】
次にＣＣＤラインセンサ２０２を読取ボードユニット２１０とＣＣＤ固定ブラケット２２０に位置決めして固定する処理について説明する。図１０は実施例に係る画像読取ユニットのＣＣＤラインセンサ、読取ボードユニット及びＣＣＤ固定ブラケットの取付時の状態を示す斜視図である。本例では、ＣＣＤ取付治具６００を用いてレンズ２０１を読取ボードユニット２１０及びＣＣＤ固定ブラケット２２０に位置決めして取り付ける。
【００５２】
ＣＣＤ取付治具６００には、基板６０３上に２本の位置決ピン６０１と４本のＣＣＤ保持ピン６０２とが設けられている。本例では、このＣＣＤ取付治具６００のＣＣＤ保持ピン６０２間に配置した状態で、位置決ピン６０１が前記ＣＣＤ固定ブラケット２２０の位置決穴２２９に差し込み、接着シート４１０でＣＣＤ固定ブラケット２２０に取り付ける。これにより、ＣＣＤラインセンサ２０２は、ＣＣＤ固定ブラケット２２０に対して位置決めされて固定される。本例では、同時に上記読取ボードユニット２１０にＣＣＤ固定ブラケット２２０を断熱層接着層４２０を介して取り付ける。断熱層接着層４２０には、前記長穴部２２３及びネジ穴２２８、位置決穴２２９に対応した個所に孔部４２２，４２２，４２３が形成されている。
【００５３】
また、この取り付け処理の後、配線ピン２０３は読取ボードユニット２１０の所定電極に挿入され、半田付けされることにより、ＣＣＤラインセンサ２０２とＣＣＤ固定ブラケット２２０とは電気的に接続される。
【００５４】
尚、本例では、電気的な接点である配線ピン２０３の弾性係数は、前記ＣＣＤ固定ブラケット２２０の弾性係数よりも小さいものとしている。このようにすることで、配線ピン２０３には応力がかかりにくくなり、確実に導通がなされる。ＣＣＤ固定ブラケット２２０の材料は鋼板、電気的な接点である配線ピン２０３材料はスズメッキ銅で構成することが好ましい。
【００５５】
尚、本例では、上記接着材４５１，４５３、接着シート４１０は、軟化点が摂氏８０度以上であるものとしている。これにより、接着剤の軟化に起因する位置ずれが防止される。さらには、接着剤は揮発しにくい材料、例えばアクリル系低アウトガス接着剤が好ましく、これにより、接着剤の揮発に起因して、光電変換部材が曇るおそれが低減する。
【００５６】
また、ＣＣＤラインセンサ５００に増幅装置としてアンプ部５２０を形成した場合には、接着材をアンプ部５２０から外れた位置に配置することが望ましい。発熱の大きいアンプ部を避けることにより、接着剤が熱変形又は揮発しにくいものとなる。
【００５７】
図１１にＣＣＤ固定ブラケット２２０と支持ブラケット２３０の固定状態を示す。支持ブラケット２３０は、Ｘ−Ｚ平面に沿って形成され、前記ＣＣＤ固定ブラケット２２０の接触面部２２６に接触してネジで取付固定される固定面部２３１と、この固定面部２３１から垂直にＸ−Ｙ平面に沿って折り曲げ形成された垂直面部２３２と、この垂直面部２３２からＹ−Ｚ平面に沿って折り曲げ形成された２つの折返面２３３とを備える。この折返面２３３と前記固定面部２３１とは、結合部２３４でカシメによって固定されている。これにより固定面部２３１、垂直面部２３２、折返面２３３からなる支持ブラケット２３０の強度を向上させている他、熱変形にも強いものとしている。尚、前記結合部２３４の位置はＣＣＤ固定ブラケット２２０と支持ブラケット２３０のネジ固定位置もしくは接触位置よりも外側に位置している。
【００５８】
前記垂直面部２３２には、その両側２個所にレンズブロック固定ブラケット２４０の接触面部２３５が設けられ、接触面部２３５にはネジ穴２３６が形成される。
【００５９】
また、本例では、前記固定面部２３１にはネジ穴が形成されており、前記接触面部２２６のネジ貫通穴２２７に貫通するネジにより、ＣＣＤ固定ブラケット２２０と支持ブラケット２３０とは位置決めされ固定される。本例では、接触面部２２６と固定面部２３１とを接触してネジで固定することによりＣＣＤラインセンサ２０２とレンズ２０１とのＸ方向，Ｚ方向及びβ方向の調整をして、固定するようにしている。
【００６０】
図１２に支持ブラケット２３０とレンズブロック固定ブラケット２４０の固定状態を示す。レンズブロック固定ブラケット２４０は支持ブラケット２３０の接触面部２３５と接触するようＸ−Ｙ平面内に形成された垂直板部２４１と、この垂直板部２４１上側からＸ−Ｚ平面に折り曲げ形成された水平板部２４２と、この水平板部２４２の両端からＹ−Ｚ平面に折り曲げ形成されたレンズブロック取付板部２４３とを備えている。このレンズブロック取付板部２４３にはレンズブロック２５０の取り付け用のネジ穴２４６が開設されている他、位置決め用のガイド穴２４７，２４８が開設されている。また、本例では、垂直板部２４１には、前記接触面部２３５のネジ穴２３６に対応する位置にネジ３０１での固定用のネジ貫通孔（図示していない）が形成される。
【００６１】
さらに、本例ではレンズブロック取付板部２４３は水平板部２４２に接続部２４５においてカシメにより固定されており、垂直板部２４１、水平板部２４２、レンズブロック取付板部２４３でレンズブロック固定ブラケット２４０の強度を増し、熱変形にも強いものとしている。前記カシメを行った接続部２４５の位置は支持ブラケット２３０とレンズブロック固定ブラケット２４０のネジ固定位置もしくは接触位置よりも内側に位置している。本例ではブラケット固定面２２２に支持ブラケット２３０の固定面部２３１を接触させてネジで固定することによってＣＣＤラインセンサ２０２に対するレンズ２０１のＹ方向及びγ方向の調整をして、固定するようにしている。
【００６２】
図１３にレンズブロック固定ブラケット２４０とレンズブロック２５０の固定状態を示す。レンズブロック２５０はレンズ２０１を保持する保持孔部２５１を備えＹ−Ｘ平面に沿って形成されるレンズ保持面２５２と、この２５２の両側からＹ−Ｚ平面に沿って折り曲げ形成され、前記レンズブロック固定ブラケット２４０のレンズブロック取付板部２４３の外側面と接触してネジ３０２で固定される固定板部２５３と、前記水平板部２４２からＸ−Ｙ平面に沿って積極形成された立上板部２５４とを備えている。本例では、レンズブロック取付板部２４３と、立上板部２５４とは結合部２５５でカシメにより結合され、レンズ保持面２５２、固定板部２５３、立上板部２５４で構成されるレンズブロック２５０の強度を増す他、熱変形にも強い構造を実現するものとしている。
【００６３】
また、固定板部２５３には、ネジ３００取り付け用のネジ貫通孔２５６と、位置決用のガイド穴２５７，２５８が設けられており、ＣＣＤラインセンサ２０２が搭載された読取ボードユニット２１０のα方向の調整を行いネジ３００で固定するものとしている。
【００６４】
次にレンズブロック２５０とレンズブロック固定ブラケット２４０の位置の調整について説明する。図１４は実施例に係る画像読取ユニットにおけるレンズブロック固定ブラケットとレンズブロックとの固定状態を示す斜視図、図１５は実施例に係る画像読取ユニットにおけるレンズブロック固定ブラケットとレンズブロックとの固定状態を示す側面図である。
【００６５】
上述したように、本例ではレンズブロック固定ブラケット２４０のレンズブロック取付板部２４３には、２つのガイド穴２４７，２４８が開設されている。本例ではＣＣＤ固定ブラケット２２０に近い方をガイド穴２４７、遠い方をガイド穴２４８とする。本例では、レンズブロック固定ブラケット２４０とレンズブロック２５０との位置決めをガイド穴２４７，２４８、ガイド穴２５７，２５８を利用して行う。
【００６６】
本例では、各ガイド穴２４７，２４８、２５７，２５８の大きさは以下のようにしてレンズブロック固定ブラケット２４０とレンズブロック２５０との位置調整をガイドピンで容易に行えるようにしている。即ち、レンズブロック取付板部２４３と、固定板部２５３とを重ねた図１５に示すように、ガイド穴２５７をガイド穴２４７より大きく、また、ガイド穴２５８をガイド穴２４８よりも大きく形成している。さらに、レンズブロック取付板部２４３についてみると、ガイド穴２４８（ＣＣＤから遠いガイド穴）はガイド穴２４７（ＣＣＤに近いガイド穴）に比してＹ方向の大きさを同じとし、Ｚ方向には大きく形成している。さらに、固定板部２５３についてみると、ガイド穴２５８（ＣＣＤから遠い穴）はガイド穴２５７（ＣＣＤに近いガイド穴）と比してＹ−Ｚ方向には大きい。
【００６７】
このような構成において、本例では以下のようにしてレンズブロック固定ブラケット２４０とレンズブロック２５０の位置調整を行う。即ち、まず、レンズブロック取付板部２４３と固定板部２５３とを重ね、各ガイド穴２４７，２４８、２５７，２５８が連通した状態で、ガイド穴２５７とガイド穴２４７を連通して両ガイド穴２４７，２５７に嵌合する段付ピンを外側から差し込む。この状態で、この２４０段付ピンの軸を中心として回転するように保持して、ガイド穴２５８とガイド穴２４８にはガイド穴２４８にちょうど入る大きさの移動ピンを差し込み、レンズブロック２５０は固定した状態で、移動ピンを上下させることによってα方向にレンズブロック固定ブラケット２４０とこれに接合されたＣＣＤ固定ブラケット２２０を同時に回転させてα方向の調整を行う。そして調整終了後にネジ３０２で固定する。
【００６８】
次に読取ボードユニット２１０の詳細な構造について説明する。図１６は実施例２に係る画像読取ユニットのＣＣＤ固定ブラケットとＣＣＤラインセンサとＳＢＵとの取り付け状態を示す斜視図、図１７は実施例に係る画像読取ユニットのＣＣＤ固定ブラケットとＳＢＵとの取付状態図１６と反対の方向から見た示す斜視図、図１８は実施例に係る画像読取ユニットのＣＣＤ固定ブラケットとＳＢＵとの取り付け状態を示す断面図である。
【００６９】
本例では、読取ボードユニット２１０において、ＣＣＤ固定ブラケット２２０の外側に薄い金属部材からなる遮蔽部材２１１を配置し、この遮蔽部材２１１をＣＣＤ固定ブラケット２２０にネジ３０３で固定されている。その結果ＣＣＤ固定ブラケット２２０は読取ボードユニット２１０と遮蔽部材２１１の間に位置することとなる。また、遮蔽部材２１１は読取ボードユニット２１０の実装電子部品を覆うように配置されていて、かつ読取ボードユニット２１０の長手方向にそって長く形成され、４辺が読取ボードユニット２１０側に折り曲げられ、実装電子部品や回路パターンを覆うように配置されている。尚図中符号３０４はＣＣＤ固定ブラケット２２０を読取ボードユニット２１０に取り付けているネジを示している。
【００７０】
また、本例では、図１６及び図１８に示すように、遮蔽部材２１１の下縁部には、両端の２隅に突起部２１３形成されており、この突起部２１３を読取ボードユニット２１０に突き刺すように配置し、読取ボードユニット２１０のグランドパターンと半田で接地されつつ固定されている。また遮蔽部材２１１の下側には長手方向に３つの下に延びたアース板２１４が一体に構成されている。このアース板２１４の先端はＲ形状に曲げられており、読取ボードユニット２１０をステー２１に装着したときにアース板２１４の先端部分ステー２１に当接して接地するように構成されている。
【図面の簡単な説明】
【００７１】
【図１】本発明に係る実施例の画像形成装置を示す概略図である。
【図２】実施例に係る画像読取装置を示す斜視図である。
【図３】図２に示した画像読取装置の第２キャリッジ用のワイヤとプーリの関係を示す模式図である。
【図４】図２に示した画像読取装置の装置奥側の各プーリの位置関係を駆動ワイヤ展張方向から見た平面図である。
【図５】本発明の実施例に係る画像読取ユニットを示す斜視図である。
【図６】実施例に係る画像読取ユニットのＣＣＤ固定ブラケットとＣＣＤラインセンサとＳＢＵとの取り付け状態を示す斜視図である。
【図７】実施例に係る画像読取ユニットの支持ブラケットを示す斜視図である。
【図８】実施例に係る画像読取ユニットのＣＣＤラインセンサ、読取ボードユニット及びＣＣＤ固定ブラケットの固定状態を示す断面図である。
【図９】実施例に係る画像読取ユニットのＣＣＤラインセンサ、読取ボードユニット及びＣＣＤ固定ブラケットの固定状態を示す斜視図である。
【図１０】実施例に係る画像読取ユニットのＣＣＤラインセンサ、読取ボードユニット及びＣＣＤ固定ブラケットの取り付け時の状態を示す斜視図である。
【図１１】実施例に係る画像読取ユニットのＣＣＤ固定ブラケットと支持ブラケットの取り付け状態を示す斜視図である。
【図１２】実施例に係る画像読取ユニットの支持ブラケットとレンズブロック固定ブラケットの固定状態を示す斜視図である。
【図１３】実施例に係る画像読取ユニットのレンズブロック固定ブラケットとレンズブロックの固定状態を示す斜視図である。
【図１４】実施例に係る画像読取ユニットにおけるレンズブロック固定ブラケットとレンズブロックとの固定状態を示す斜視図である。
【図１５】実施例に係る画像読取ユニットにおけるレンズブロック固定ブラケットとレンズブロックとの固定状態を示す側面図である。
【図１６】実施例２に係る画像読取ユニットのＣＣＤ固定ブラケットとＣＣＤラインセンサとＳＢＵとの取り付け状態を示す斜視図である
【図１７】実施例に係る画像読取ユニットのＣＣＤ固定ブラケットとＳＢＵとの取り付け状態を示す図１６と反対の方向から見た斜視図である。
【図１８】実施例に係る画像読取ユニットのＣＣＤ固定ブラケットとＳＢＵとの取り付け状態を示す断面図である。
【符号の説明】
【００７２】
１・・・フレーム
２・・・駆動軸
３・・・駆動ワイヤ
３ａ・・・ワイヤ部分
３ｂ・・・ワイヤ部分
３ｃ・・・ワイヤ部分
３ｅ・・・ワイヤ部分
３ｆ・・・ワイヤ部分
４・・・ワイヤ駆動プーリ
５・・・第１キャリッジ
５ａ・・・管状ランプ
６・・・第２キャリッジ
８・・・第２レール
９・・・張力スプリング
１０・・・キャリッジプーリ
１０ａ・・・内側キャリッジプーリ
１０ｂ・・・外側キャリッジプーリ
１１・・・アイドラプーリ
１２・・・アイドラプーリ
１３・・・駆動モータ
１３ａ・・・出力軸
１４・・・駆動ベルトプーリ
１５・・・駆動ベルト
１６・・・従動ベルトプーリ
２１・・・先端部分ステー
２３・・・ＣＣＤラインセンサ
１００・・・画像形成装置
１１０・・・画像形成部
１２０・・・給紙部
１３０・・・画像読取部
１４０・・・原稿給紙部
２００・・・画像読取ユニット
２０１・・・レンズ
２０２・・・ＣＣＤラインセンサ
２０３・・・配線ピン
２１０・・・読取ボードユニット
２１１・・・遮蔽部材
２１３・・・突起部
２１４・・・アース板
２２０・・・ＣＣＤ固定ブラケット
２２１・・・ＣＣＤ取付面
２２２・・・ブラケット固定面
２２４・・・ＣＣＤ固着部
２２５・・・長穴部
２２６・・・接触面部
２２７・・・ネジ貫通穴
２２８・・・ネジ穴
２２９・・・位置決穴
２３０・・・支持ブラケット
２３１・・・固定面部
２３２・・・垂直面部
２３３・・・折返面
２３４・・・結合部
２３５・・・接触面部
２３６・・・ネジ穴
２４０・・・レンズブロック固定ブラケット
２４１・・・垂直板部
２４２・・・水平板部
２４３・・・レンズブロック取付板部
２４５・・・接続部
２４６・・・ネジ穴
２４７・・・ガイド穴
２４８・・・ガイド穴
２５０・・・レンズブロック
２５１・・・保持孔部
２５２・・・レンズ保持面
２５３・・・固定板部
２５４・・・立上板部
２５５・・・結合部
２５６・・・ネジ貫通孔
２５７・・・ガイド穴
２５８・・・ガイド穴
３００，３０１，３０２，３０３，３０４・・・ネジ
４１０・・・接着シート
４２０・・・断熱層接着層
４２２，４２３・・・孔部
４５０・・・断熱層
４５１，４５３・・・接着材
４５２・・・ＰＥＴフィルム
４５４・・・半田
５００・・・ＣＣＤラインセンサ
５１１，５１２，５１３・・・ラインセンサ
５２０・・・アンプ部
６００・・・ＣＣＤ取付治具
６０１・・・位置決ピン
６０２・・・ＣＣＤ保持ピン
【図７】
2007181165.tif 000003
【図１】
2007181165.tif 000004
【図２】
2007181165.tif 000005
【図３】
2007181165.tif 000006
【図４】
2007181165.tif 000007
【図５】
2007181165.tif 000008
【図６】
2007181165.tif 000009
【図８】
2007181165.tif 000010
【図９】
2007181165.tif 000011
【図１０】
2007181165.tif 000012
【図１１】
2007181165.tif 000013
【図１２】
2007181165.tif 000014
【図１３】
2007181165.tif 000015
【図１４】
2007181165.tif 000016
【図１５】
2007181165.tif 000017
【図１６】
2007181165.tif 000018
【図１７】
2007181165.tif 000019
【図１８】
2007181165.tif 000020